(57)【要約】【課題】呼制御プロトコルによる着信があった場合に、パケットデータのプロトコルの種別に制限されずに、発呼元がデータ通信を希望するメディアの種別に応じて接続すべき端末装置を選択して接続する通信装置を提供すること。【解決手段】接続先となる端末装置毎にメディア種別情報及び呼び出し順序情報を対応付けて記憶するテーブル７と、外部装置１４からＳＩＰによるセッション参加リクエストを受信した場合に、同時に受信したメディアセッションに関する提案情報２２から検出したメディア種別情報に対応付けて記憶されている１又は複数の端末装置と外部装置１４との間の通信を、当該端末装置に対応付けて記憶されている呼び出し順序情報に従って制御する制御部２と、を備える通信装置１。【選択図】図３
2006054654.tif 000002
【特許請求の範囲】
【請求項１】
接続先となる端末装置毎にメディア種別情報及び呼び出し順序情報を対応付けて記憶する記憶手段と、外部装置から呼制御プロトコルによる接続要求を受信した場合に、前記接続要求とともに受信した情報からメディア種別情報を検出する検出手段と、検出したメディア種別情報に対応付けて記憶されている１又は複数の端末装置と前記外部装置との間の通信を、当該端末装置に対応付けて記憶されている呼び出し順序情報に従って制御する制御手段と、を備えることを特徴とする通信装置。
【請求項２】
前記呼び出し順序情報には、複数の端末装置の同時呼び出しを指定する同時呼び出し指定情報が含まれており、
前記制御手段は、従うべき前記呼び出し順序情報が前記同時呼び出し指定情報である場合に、該当する端末装置全てに対して同時に呼び出し処理を行うことを特徴とする請求項１記載の通信装置。
【請求項３】
前記呼び出し順序情報には、複数の端末装置の順次呼び出しを指定する順次呼び出し指定情報が含まれており、
前記制御手段は、従うべき前記呼び出し順序情報が前記順次呼び出し指定情報である場合に、該当する端末装置に対して順次呼び出し処理を行うことを特徴とする請求項１記載の通信装置。
【発明の詳細な説明】
【技術分野】
【０００１】
本発明は、ＳＩＰ（Session  Initiation  Protocol）等の呼制御プロトコルによる着信があった場合に、発呼元装置がデータ通信を希望するメディアの種別に応じて接続すべき端末装置を選択し、選択した端末装置と前記発呼元装置とを接続する通信装置に関する。
【背景技術】
【０００２】
近年、ＩＰ電話通信、ＩＰファクシミリ通信など、ＩＰ網を通じて音声データや画データを送受信する通信装置が普及しており、音声データと画像データの両方のデータ通信を行う通信装置も提案されている（例えば、特許文献１、２参照）。
【０００３】
特に、特許文献２に開示されている通信装置は、インターネット経由でＬＡＮインターフェースから受信したパケットデータがＵＤＰかＴＣＰかによって、電話機とファクシミリ装置を切り替えて接続する機能を備える。
【特許文献１】特開２００２−１０１２５６号公報
【特許文献２】特開２０００−２２４３３３号公報
【発明の開示】
【発明が解決しようとする課題】
【０００４】
しかしながら、着信時のプロトコルがＵＤＰであるかＴＣＰであるかに制限されることなく、接続する端末装置を選択することができなかった。つまり、発呼元がデータ通信を希望するメディアの種類に最適な接続先を選択することができないという問題があった。
【０００５】
本発明は、かかる課題に鑑みてなされたものであり、呼制御プロトコルによる着信があった場合に、パケットデータのプロトコルの種別に制限されずに、発呼元がデータ通信を希望するメディアの種別に応じて接続すべき端末装置を選択して接続する通信装置を提供することを目的とする。
【課題を解決するための手段】
【０００６】
上記目的を達成するために、請求項１記載の通信装置は、接続先となる端末装置毎にメディア種別情報及び呼び出し順序情報を対応付けて記憶する記憶手段と、外部装置から呼制御プロトコルによる接続要求を受信した場合に、前記接続要求とともに受信した情報からメディア種別情報を検出する検出手段と、検出したメディア種別情報に対応付けて記憶されている１又は複数の端末装置と前記外部装置との間の通信を、当該端末装置に対応付けて記憶されている呼び出し順序情報に従って制御する制御手段と、を備えることを特徴としている。
【０００７】
請求項２記載の通信装置は、請求項１記載の通信装置において、前記呼び出し順序情報には、複数の端末装置の同時呼び出しを指定する同時呼び出し指定情報が含まれており、前記制御手段は、従うべき前記呼び出し順序情報が前記同時呼び出し指定情報である場合に、該当する端末装置全てに対して同時に呼び出し処理を行うことを特徴としている。
【０００８】
請求項３記載の通信装置は、請求項１記載の通信装置において、前記呼び出し順序情報には、複数の端末装置の順次呼び出しを指定する順次呼び出し指定情報が含まれており、前記制御手段は、従うべき前記呼び出し順序情報が前記順次呼び出し指定情報である場合に、該当する端末装置に対して順次呼び出し処理を行うことを特徴としている。
【発明の効果】
【０００９】
請求項１記載の通信装置によれば、呼制御プロトコルにより着信したパケットデータのプロトコルの種類に制限されずに、発呼元がデータ通信を希望するメディアの種別に応じて接続すべき最適な端末装置を自動的に選択し発呼元と接続することができる。
【００１０】
請求項２記載の通信装置によれば、発呼元がデータ通信を希望するメディア種別が特定のものである場合に、複数の端末装置に対して同時に呼び出し処理を行うことができる。
【００１１】
請求項３記載の通信装置によれば、発呼元がデータ通信を希望するメディア種別が特定のものである場合に、複数の端末装置に対して順次に呼び出し処理を行うことができる。
【発明を実施するための最良の形態】
【００１２】
以下本発明の実施の形態に係る通信装置について図面に基づいて説明する。図１に本発明の実施の形態に係る通信装置１の構成例及び通信装置１が接続されるネットワークの一例を示す。図示するように、通信装置１は、制御部２、記憶部３、操作部４、表示部５、ＬＡＮインタフェース６、ＩＰ網通信部８を備える。
【００１３】
制御部２は、ＣＰＵ（Central  Processing  Unit）、制御プログラムを格納したＲＯＭ（Read  Only  Memory）、ＲＡＭ（Random  Access  Memory）等から構成され、この通信装置１を構成する各部を制御する。記憶部３はＲＡＭ等で構成され、後述するテーブル７等を記憶している。操作部４は、キーボード、マウス等の入力手段を具備し、ユーザの操作により指定された情報の入力を受付ける。表示部５は、ＬＣＤ（Ｌｉｑｕｉｄ  Ｃｒｙｓｔａｌ  Ｄｉｓｐｌａｙ）等のモニタからなり、制御部２の命令に従って各種の画面情報を表示する。
【００１４】
ＬＡＮインタフェース６は、通信装置１とＬＡＮ（ローカルエリアネットワーク）１０とを接続するインターフェースである。これを通じて通信装置１は、同じくＬＡＮ１０に接続されたＩＰファクシミリ装置１１ａ、１１ｂ、電話機１２ａ、１２ｂ、動画モニタ１３等と通信を行う。ＩＰ網通信部８は、インターネットやイントラネットなどのＩＰ網１５との接続制御を行う。
【００１５】
前記記憶部３に記憶されたテーブルは、接続先となる端末装置毎に各種のメディア種別情報及び呼び出し順序情報との対応関係を記憶している。かかる対応関係を記憶するテーブルの内容は、操作部４における所定操作によって表示部５に表示させて入力、削除、変更等の編集処理をすることができるようになっている。前記対応関係を記憶するテーブルとして、例えば図２に示すような、テーブル７が記憶部３に記憶されている。該テーブル７は、「端末装置」フィールド、「メディア種別」フィールド及び「呼び出し順序」フィールドを具備し、各フィールドの同一レコードに格納された情報が相互に対応付けられる。「端末装置」フィールドには、端末装置を特定する情報が格納されている。「メディア種別」フィールドには、メディア種別情報が格納されており、音声、動画、画データ（静止画）の３種類のメディア種別を指定する情報が設定可能となっている。「呼び出し順序」フィールドには、同時呼び出し又は順次呼び出しの何れかを指定する情報が設定されるが、図２に示すテーブル７のように、メディア種別情報が他のレコードのメディア種別情報と重複しない場合には、当該レコードの「呼び出し順序」フィールドを空値（ＮＵＬＬ）としてもよい。
【００１６】
本実施の形態においては、ＩＰ電話機（ＩＰ通信に対応した電話機）１２ａ乃至１２ｃに相当する「端末１」乃至「端末３」にメディア種別情報として音声データを指定するメディア種別情報（図示「音声」）と、これら全ての端末装置の同時呼び出しを指定する呼び出し順序情報（図示「同時呼び出し」）とが対応付けて記憶されている。また、動画モニタ１３に相当する「端末４」に動画データを指定するメディア種別情報（図示「動画」）が対応付けて記憶されている。さらに、ＩＰファクシミリ装置（ＩＰ通信に対応したファクシミリ装置）１１ａ乃至１１ｃに相当する「端末５」及び「端末６」に静止画データを指定するメディア種別情報（図示「画データ」）と、該当する端末装置に対して順次呼び出すことを指定する呼び出し順序情報（図示「順次呼び出し」）とが対応付けて記憶されている。
【００１７】
以上説明した構成を備える通信装置１は、ＵＤＰ／ＩＰ、ＴＣＰ／ＩＰ、ＳＩＰ、ＳＤＰ（Session  Description  Protocol）などを実装している。通信装置１は、外部装置１４からＳＩＰサーバ（不図示）を通じて呼制御プロトコルによる接続要求を受信した場合に、接続要求とともに受信した情報からメディア種別情報を検出する。そして、記憶部３に記憶したテーブル７を参照して、検出したメディア種別情報に対応付けて記憶している１又は複数の端末装置と前記外部装置１４との間の通信を、当該端末装置に対応付けて記憶している呼び出し順序情報に従って制御する。以下、かかる通信装置１の処理動作について更に詳細に説明する。
【００１８】
図３に示すように、通信装置１が外部装置１４から接続要求としてセッション参加リクエストである「ＩＮＶＩＴＥ」を受信すると、制御部２は、受信したＳＩＰヘッダの後のメッセージボディ部にＳＤＰによって記述された情報からメディア種別情報を検出する。例えば図３に示すように、制御部２は、ＳＩＰヘッダ２１のあとに記述されたメディアセッションに関する提案情報２２（２２ａ、２２ｂ）のメディアタイプ情報を示す「ｍ」行に記述された情報を解析して、外部装置１４が提案するメディア種別情報を検出する。例えば図３に例示する提案情報２２ａのように、「ｍ」行に「ａｕｄｉｏ  ４９１７０ＲＴＰ／ＡＶＰ  ０」が記述されている場合は、「ａｕｄｉｏ」が音声データを指定するメディア種別情報として検出される。また、提案情報２２ｂのように、「ｍ」行にメディアタイプ情報として「ａｐｐｌｉｃａｔｉｏｎ  ４９９９９  ＦＡＸ」が記述されている場合は、「ＦＡＸ」が静止画データを指定するメディア種別情報として検出される。その他、図示しないが、「ｍ」行にメディアタイプ情報として「ｖｉｄｅｏ  ４００４ＲＴＰ／ＡＶＰ  １４  ２６」などが記述されている場合には、「ｖｉｄｅｏ」が動画データを指定するメディア種別情報として検出される。なお、提案情報２２ａの「４９１７０」は、受信ポート番号を、「ＲＴＰ／ＡＶＰ  ０」は、トランスポートプロトコルの種類及びペイロードタイプ値を示し、提案情報２２ｂの「４９９９９」は受信ポート番号を示す。
【００１９】
メディア種別情報を検出した制御部２は、テーブル７を参照して、検出したメディア種別情報に対応付けた１又は複数の端末装置に対して呼び出し処理を実行する。テーブル７において検出したメディア種別情報に対応付けられた端末装置が複数ある場合には、各端末装置に対応付けられた呼び出し順序情報に従って呼び出し順序を決定する。すなわち、呼び出し順序情報が同時呼び出しである場合は、該当する端末装置に対して同時に呼び出し処理を実行し、呼び出し順序情報が順次呼び出しである場合は、該当する端末装置に対して順次呼び出し処理を実行する。なお、本実施の形態においては、前記順次呼び出し処理は、該当する端末装置についてテーブルのレコードの行順に行われるが、呼び出し処理を行う端末装置の順番はこれに限定されない。例えば、テーブル７の呼び出し順序フィールドに呼び出し順番を特定する情報、例えば数字などを格納してその情報に従って順次呼び出し処理を行うようにしてもよい。
【００２０】
つぎに、上記通信装置１が外部装置１４から接続要求を受けた場合に実行する処理動作について図４及び図５に示すフローチャートに基づいて説明する。
【００２１】
まず、通信装置１の制御部２は、外部装置１４から接続要求としての「ＩＮＶＩＴＥ」を着信（受信）すると（Ｓ１：ＹＥＳ）、「ＩＮＶＩＴＥ」のＳＩＰヘッダの後にＳＤＰにより記述された情報からメディア種別情報を検出する（Ｓ２）。
【００２２】
次いで、制御部２は記憶部３に記憶されているテーブル７を参照して、検出したメディア種別情報及びこれに対応付けられた端末装置がテーブル７に記憶されているか否かを判断する（Ｓ３）。検出したメディア種別情報に対応付けられた端末装置が記憶されていないと判断した場合は（Ｓ３：ＮＯ）、発呼元である外部装置１４に通信を確立できない旨を通知する（Ｓ５）。例えば、ＳＩＰの特定のレスポンスコードを外部装置１４へ返信することによりその旨を通知する。
【００２３】
検出したメディア種別情報に対応付けられた端末装置が記憶されていると判断し（Ｓ３：ＹＥＳ）、検出したメディア種別情報が音声データを指定する情報である場合には（Ｓ４：ＹＥＳ）、テーブル７において音声データを指定する情報が対応付けられた端末装置を呼び出し対象として選択する。例えば図示テーブル７が形成されている場合は、「端末１」〜「端末３」を呼び出し対象として選択する（Ｓ６）。そして選択した端末装置に対して、それら端末装置に対応付けられている呼び出し順序情報に従って呼び出し処理を実行し、呼び出し処理に応答した端末装置に対して発呼元である外部装置１４から送信されてくるパケットを中継する（Ｓ７）。
【００２４】
すなわち、図５のフローチャートに示すように、通信装置１の制御部２は、記憶部３に記憶しているテーブル７を参照して、当該端末装置に対応付けられた呼び出し順序情報が複数の端末装置の同時呼び出しを指定する情報であるか否かを判断する（Ｓ５１）。同時呼び出し情報である場合は（Ｓ５１：ＹＥＳ）、該当する全ての端末装置に対して、同時に呼び出し処理を行う（Ｓ５２）。ここで、該当する端末装置が１台の場合は当該１台の端末装置に対してのみ呼び出し処理を行う。呼び出し処理は、例えば着信通知信号を送信することによって行われる。何れかの端末装置が呼び出し処理に対して応答すると（Ｓ５３：ＹＥＳ）、通信装置１の制御部２は、応答した端末装置に外部装置１４から受信するパケットを中継して、該端末装置と外部装置１４と接続する（Ｓ５４）。
【００２５】
前記Ｓ５１において、呼び出すべき端末装置に対応付けられた呼び出し順序情報が同時呼び出しを指定するものではないと判断した場合（Ｓ５１：ＮＯ）、該当する端末装置（前記Ｓ２において検出したメディア種別情報が対応付けられた端末装置）に対して順次呼び出し処理を行う（Ｓ５５）。ここで、該当する端末装置が１台の場合は当該１台の端末装置に対してのみ呼び出し処理を行う。また、呼び出し処理の順番は、該当する端末装置に対してテーブル７のレコード順に各々一定時間毎行われる。前記呼び出し処理は、例えば着信通知信号を該当する端末装置に順次送信することにより行われる。何れかの端末装置が呼び出し処理に対して応答すると（Ｓ５６：ＹＥＳ）、通信装置１の制御部２は、応答した端末装置に外部装置１４から受信するパケットを中継して、該端末装置と外部装置１４と接続する（Ｓ５７）。なお、前記Ｓ５５の順次呼び出し処理は、呼び出した端末装置から応答がない場合或いは呼び出した端末装置が通信中である場合に順次、次の端末装置に対して呼び出し処理を行う。
【００２６】
一方、前記Ｓ５６において、何れの端末装置も応答しなかった場合には（Ｓ５６：ＮＯ）、呼び出し処理を終了して発呼元である外部装置１４に通話中ないし通信中である旨を通知する（Ｓ５８）。例えば、ＳＩＰの特定のレスポンスコードを外部装置１４へ返信することによりその旨を通知することができる。
【００２７】
一方、前記Ｓ４において、検出したメディア種別情報が音声データを指定する情報ではないと判断し（Ｓ４：ＮＯ）、Ｓ８において、検出したメディア種別情報が動画データを指定する情報であると判断した場合は（Ｓ８：動画）、テーブル７において動画データを指定する情報が対応付けられた端末装置を呼び出し対象として選択する。例えば図示テーブル７が形成されている場合は、「端末４」を呼び出し対象として選択する（Ｓ９）。そして選択した端末装置に対して、該端末装置に対応付けられている呼び出し順序情報に従って呼び出し処理を実行し、呼び出し処理に応答した端末装置に対して発呼元である外部装置１４から送信されてくるパケットを中継する（Ｓ１０）。すなわち、通信装置１は、該当する前記端末装置に対して前記Ｓ５１乃至Ｓ５８の処理動作を実行する。
【００２８】
前記Ｓ８において、検出したメディア種別情報が静止画データを指定する情報であると判断した場合は（Ｓ８：静止画）、テーブル７において静止画データを指定する情報が対応付けられた端末装置を呼び出し対象として選択する。例えば図示テーブル７が形成されている場合は、「端末５」〜「端末６」を呼び出し対象として選択する（Ｓ１１）。そして選択した端末装置に対して、それら端末装置に対応付けられている呼び出し順序情報に従って呼び出し処理を実行し、呼び出し処理に応答した端末装置に対して発呼元である外部装置１４から送信されてくるパケットを中継する（Ｓ１２）。すなわち、通信装置１は、該当する前記端末装置に対して前記Ｓ５１乃至Ｓ５８の処理動作を実行する。
【００２９】
次に、図２に示すようなテーブル７が記憶部３に形成されている場合に、通信装置１が実行する具体的なＳ５１乃至Ｓ５８の処理動作の例を説明する。
【００３０】
図２のテーブル７に示すように、ＩＰ電話機１２ａ乃至１２ｃに相当する「端末１」乃至「端末３」には、音声データを指定するメディア種別情報及び同時呼び出しを指定する呼び出し順序情報が対応付けて記憶されている。したがって、前記Ｓ２において検出されたメディア種別情報が音声データを指定するものである場合には、Ｓ３、Ｓ４、Ｓ６の処理動作を経てＳ５１において肯定判断がなされ、Ｓ５２において、電話機１２ａ乃至１２ｃの３台の電話機に対して同時に呼び出し処理がなされる（電話機１２ａ乃至１２ｃに着信通知信号が同時に送信される。）。同時呼び出し処理がなされると、３台の電話機は、同時に呼び出しベルを鳴動させる。ユーザが何れかのＩＰ電話機の受話器を取るなどの応答操作を行うと、当該ＩＰ電話機から通信装置１へ応答信号が送出される。通信装置１が何れかのＩＰ電話機から応答信号を受信すると（Ｓ５３：ＹＥＳ）、通信装置１の制御部２は、応答したＩＰ電話機にパケットを中継して、該ＩＰ電話機と外部装置１４とを接続する（Ｓ５４）。
【００３１】
また、図２のテーブル７に示すように、動画モニタ１３に相当する「端末４」には、動画データを指定するメディア種別情報が対応付けて記憶されている。したがって、前記Ｓ２において検出されたメディア種別情報が動画データを指定するものである場合には、Ｓ３、Ｓ４及びＳ８：動画の処理動作を経てＳ５１において否定判断がなされ、Ｓ５５において、動画モニタ１３のみに対して呼び出し処理がなされ、動画モニタ１３が呼び出し処理に対して応答すると（Ｓ５６：ＹＥＳ）、制御部２は、応答した動画モニタ１３にパケットを中継して、該動画モニタ１３と外部装置１４と接続する（Ｓ５７）。一方、動画モニタ１３が応答しない場合、つまり、応答信号を返信しなかった場合は、制御部２は、呼び出し処理を終了して発呼元である外部装置１４に対して通信中である旨を通知する（Ｓ５８）。
【００３２】
また、図２のテーブル７に示すように、ＩＰファクシミリ装置１１ａ乃至１１ｂに相当する「端末５」及び「端末６」には、静止画データを指定するメディア種別情報及び順次呼び出しを指定する呼び出し順序情報が対応付けて記憶されている。したがって、前記Ｓ２において検出されたメディア種別情報が静止画データを指定するものである場合には、Ｓ３、Ｓ４及びＳ８：静止画の処理動作を経てＳ５１において否定判断がなされ、Ｓ５５において、ＩＰファクシミリ装置１１ａ及び１１ｂの２台のＩＰファクシミリ装置に対して一定時間ごと順次呼び出し処理がなされる。例えば先ず１０秒間ＩＰファクシミリ装置１１ａに対して呼び出し処理（着信通知信号の送信）がなされ、ＩＰファクシミリ装置１１ａが応答しなければ、ＩＰファクシミリ装置１１ｂに対して呼び出し処理がなされる。何れかのＩＰファクシミリ装置が呼び出し処理に対して応答すると（Ｓ５６：ＹＥＳ）、通信装置１の制御部２は、応答したＩＰファクシミリ装置にパケットを中継して、該ＩＰファクシミリ装置と外部装置１４と接続する（Ｓ５７）。一方、何れのＩＰファクシミリ装置も応答しない場合、つまり、何れのＩＰファクシミリ装置も応答信号を返信しなかった場合は、呼び出し処理を終了して発呼元である外部装置１４に対して通信中である旨を通知する（Ｓ５８）。
【００３３】
以上説明した実施の形態においては、呼制御プロトコルとしてＳＩＰを例に挙げて説明したが、接続要求とともにメディア種別情報を受信することができるものであれば、勿論その他の呼制御プロトコルを適用してもよい。また、接続要求とともに受信するメディア種別情報がＳＤＰにより記述された場合を例に挙げて説明したが接続要求とともに発呼側が提案するメディア種別情報を検出できれば、記述方式は、ＳＤＰに限定されない。また、メディア種別情報として、音声データ、動画データ、静止画データを例にあげて説明したが、勿論これら以外のメディア種別情報を適用してもよい。
【００３４】
以上の説明から明らかなように、本発明の実施の形態に係る通信装置１によれば、呼制御プロトコルにより着信したパケットデータがＵＤＰかＴＣＰであるかに制限されることなく、発呼元である外部装置１４が希望するメディアの種別に適した端末装置を自動的に選択して接続することができる。例えば、着信したパケットデータがＵＤＰかＴＣＰかに拘わらず、外部装置１４が音声通信を希望している場合には、音声通信に対処可能なＩＰ電話機を接続することができ、外部装置１４が静止画データの通信を希望している場合には、ＩＰファクシミリ装置を接続することができる。
【００３５】
複数のＩＰ電話機を設置しているような企業等においては、ＩＰ電話の着信は、何れのＩＰ電話機でも取れるようにすることが望ましいが、本発明によれば、全てのＩＰ電話機に音声データを指定するメディア種別情報と同時呼び出しを指定する呼び出し順序情報を対応付けて登録しておくことによりそれが可能となる。
【００３６】
また、複数のＩＰファクシミリ装置を設置しているような企業等においては、ＩＰファクシミリ装置に対して、１台毎順番に呼び出し処理を行い、応答したＩＰファクシミリ装置と発呼元とを接続することが望ましいが、本発明によれば、複数のＩＰファクシミリ装置に静止画データを指定するメディア種別情報と順次呼び出しを指定する呼び出し順序情報を対応付けて登録しておくことによりそれが可能となる。
【産業上の利用可能性】
【００３７】
本発明は、例えば、インターネットから呼制御プロトコルによりセッション参加リクエストを着信した場合に、自装置のＬＡＮに接続されている端末装置と前記リクエストの発呼元とを接続する通信装置に適用することができる。
【図面の簡単な説明】
【００３８】
【図１】本発明の実施の形態に係る通信装置の構成例及び該通信装置が設置されるネットワーク構成例を示した図である。
【図２】メディア種別情報、端末装置及び呼び出し順序情報を対応付けて記憶するテーブルの一例を示した図である。
【図３】ＳＩＰヘッダの後にＳＤＰにより記述されたメディア種別情報の例を示した図である。
【図４】本発明の実施の形態に係る通信装置がＩＰ網からＳＩＰによる接続要求を受けた場合に実行する処理動作を示したフローチャートである。
【図５】本発明の実施の形態に係る通信装置がＩＰ網からＳＩＰによる接続要求を受けた場合に実行する処理動作を示したフローチャートである。
【符号の説明】
【００３９】
１    通信装置
２    制御部
３    記憶部
７    テーブル
１０    ＬＡＮ
１１ａ、１１ｂ    ＩＰファクシミリ装置（端末装置）
１２ａ乃至１２ｃ    ＩＰ電話機（端末装置）
１３    動画モニタ（端末装置）
１４    外部装置
１５    ＩＰ網
２２ａ、２２ｂ    ＳＤＰにより記述されたメディアセッションに関する提案情報（メディア種別情報を含む提案情報）
【図１】
2006054654.tif 000003
【図２】
2006054654.tif 000004
【図３】
2006054654.tif 000005
【図４】
2006054654.tif 000006
【図５】
2006054654.tif 000007